【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
フライバックコンバータであって、
変圧器であって、入力電圧信号を受信するための第１の端部と、第２の端部とを含む一次巻線と、出力電圧信号を提供するための第１の端部と、第２の端部とを含む二次巻線とを含む、前記変圧器と、
第１のスイッチであって、前記一次巻線の前記第２の端部と結合される第１の端子と、第１の定電圧ノードと結合される第２の端子と、第１のスイッチング制御信号を受信するための第１の制御端子とを含む、前記第１のスイッチと、
第２のスイッチであって、前記二次巻線の前記第２の端部と結合される第１の端子と、第２の定電圧ノードと結合される第２の端子と、第２のスイッチング制御信号を受信するための第２の制御端子とを含む、前記第２のスイッチと、
第１の制御回路であって、前記第１のスイッチの第１のスイッチ電圧が第１の閾値を下回って遷移することに応答して、前記一次巻線において電流を第１の方向に流し得るように、コンバータサイクルにおけるノンゼロの第１の時間期間に、前記第１のスイッチをオンにするために前記第１のスイッチング制御信号を提供するための、前記第１の制御回路と、
前記コンバータサイクルにおける前記第１の時間期間に続く非ゼロの第２の時間期間に、前記第２のスイッチをオンにするために前記第２のスイッチング制御信号を提供するための第２の制御回路であって、後続のコンバータサイクルを開始し、ゼロ電圧スイッチング（ＺＶＳ）状態で又はその近辺で前記第１のスイッチを動作させるために、前記第１のスイッチ電圧を前記第１の閾値を下回って遷移させるように前記第１のスイッチの静電容量を少なくとも部分的に放電するため、前記一次巻線において電流を第２の方向に流すために、前記第２のスイッチの第２のスイッチ電圧が第２の閾値を下回って遷移することに応答して、前記コンバータサイクルにおける非ゼロの第３の時間期間に、前記第２のスイッチを再びオンにするために前記第２のスイッチング制御信号を提供するように作用し得る、前記第２の制御回路と、
を含む、フライバックコンバータ。
【請求項２】
請求項１に記載のフライバックコンバータであって、
前記第２のスイッチがオフである間に、前記第２のスイッチ電圧が一連のピークと谷とを含む共振リンギングを被り、
前記第２の制御回路が、前記谷の特定の１つにおいて又はその近辺で前記第２のスイッチ電圧が前記第２の閾値を下回って遷移することに応答して、前記第３の時間期間に、前記第２のスイッチをオンにするために前記第２のスイッチング制御信号を提供するように作用し得る、フライバックコンバータ。
【請求項３】
請求項２に記載のフライバックコンバータであって、
前記第２の制御回路が、コンバータ出力信号に少なくとも部分的に従って前記第３の時間期間に前記第２のスイッチを再びオンにするための前記谷の前記特定の１つを選択する、フライバックコンバータ。
【請求項４】
請求項３に記載のフライバックコンバータであって、
前記第２の制御回路が、セットポイント信号に従って前記コンバータ出力信号を少なくとも部分的にレギュレートするために、前記コンバータサイクルのスイッチング周波数と期間とを選択的に調節するため、前記第３の時間期間に前記第２のスイッチを再びオンにするための前記谷の前記特定の１つを選択する、フライバックコンバータ。
【請求項５】
請求項４に記載のフライバックコンバータであって、
前記第２の制御回路が前記コンバータ出力信号を直接感知する、フライバックコンバータ。
【請求項６】
請求項４に記載のフライバックコンバータであって、
前記第２の制御回路が、前記変圧器の前記二次側の１つ又は複数の感知された条件に従って前記コンバータ出力信号を演算する、フライバックコンバータ。
【請求項７】
請求項１に記載のフライバックコンバータであって、
前記第１の制御回路が、コンバータ出力信号をレギュレートするために前記第１の時間期間を選択的に調節する、フライバックコンバータ。
【請求項８】
請求項１に記載のフライバックコンバータであって、
第３のスイッチであって、前記入力電圧信号を受け取るように結合される第１の端子と、前記一次巻線の前記第１の端部と結合される第２の端子と、第３のスイッチング制御信号を受信するための第３の制御端子とを含む、前記第３のスイッチと、
第１のダイオードであって、前記一次巻線の前記第２の端部に接続される第１のアノードと、前記第３のスイッチの前記第１の端子に接続される第１のカソードとを含む、前記第１のダイオードと、
第２のダイオードであって、前記第１の定電圧ノードに接続される第２のアノードと、前記一次巻線の前記第１の端部に接続される第２のカソードとを含む、前記第２のダイオードと、
を更に含み、
前記第１の制御回路が、前記第１のスイッチがオンであるときに前記第３のスイッチをオンにするために、前記第１のスイッチがオフであるときに前記第３のスイッチをオフにするために、前記第３のスイッチング制御信号を提供するように作用し得る、フライバックコンバータ。
【請求項９】
請求項８に記載のフライバックコンバータであって、
前記第２のスイッチがオフである間に、前記第２のスイッチ電圧が一連のピークと谷とを含む共振リンギングを被り、
前記第２の制御回路が、前記第２のスイッチの第２のスイッチ電圧が前記谷の特定の１つにおいて又はその近辺で前記第２の閾値を下回って遷移することに応答して、前記第３の時間期間に、前記第２のスイッチをオンにするために前記第２のスイッチング制御信号を提供するように作用し得る、フライバックコンバータ。
【請求項１０】
請求項９に記載のフライバックコンバータであって、
前記第２の制御回路が、コンバータ出力信号に少なくとも部分的に従って、前記第３の時間期間に、前記第２のスイッチを再びオンにするための前記複数の谷のうちの前記特定の１つを選択する、フライバックコンバータ。
【請求項１１】
フライバックコンバータを動作させるための集積回路（ＩＣ）であって、
第１のスイッチであって、変圧器の一次巻線と結合するための第１の端子と、第１の定電圧ノードと結合するための第２の端子と、第１のスイッチング制御信号を受信するための第１の制御端子とを含む、前記第１のスイッチと、
第２のスイッチであって、前記変圧器の二次巻線と結合するための第１の端子と、第２の定電圧ノードと結合するための第２の端子と、第２のスイッチング制御信号を受信するための第２の制御端子とを含む、前記第２のスイッチと、
前記第１のスイッチの第１のスイッチ電圧が第１の閾値を下回って遷移することに応答して、前記一次巻線において電流が第１の方向に流れ得るようにコンバータサイクルにおける非ゼロの第１の時間期間に、前記第１のスイッチをオンにするために前記第１のスイッチング制御信号を提供するための第１の制御回路と、
前記コンバータサイクルにおける前記第１の時間期間に続く非ゼロの第２の時間期間に、前記第２のスイッチをオンにするために前記第２のスイッチング制御信号を提供するための第２の制御回路であって、後続のコンバータサイクルを開始し、ゼロ電圧スイッチング（ＺＶＳ）状態で又はその近辺で前記第１のスイッチを動作させるために前記第１のスイッチ電圧を前記第１の閾値を下回って遷移させるように前記第１のスイッチの静電容量を少なくとも部分的に放電するため、前記一次巻線において電流を第２の方向に流すために、前記第２のスイッチの第２のスイッチ電圧が第２の閾値を下回って遷移することに応答して、前記コンバータサイクルにおける非ゼロの第３の時間期間に、前記第２のスイッチを再びオンにするために前記第２のスイッチング制御信号を提供するように作用し得る、前記第２の制御回路と、
を含む、ＩＣ。
【請求項１２】
請求項１１に記載のＩＣであって、
前記第２のスイッチがオフである間に、前記第２のスイッチ電圧が一連のピークと谷とを含む共振リンギングを被り、
前記第２の制御回路が、前記谷の特定の１つにおいて又はその近辺で前記第２のスイッチ電圧が前記第２の閾値を下回って遷移することに応答して、前記第３の時間期間に、前記第２のスイッチをオンにするために前記第２のスイッチング制御信号を提供するように作用し得る、ＩＣ。
【請求項１３】
請求項１２に記載のＩＣであって、
前記第２の制御回路が、コンバータ出力信号に少なくとも部分的に従って、前記第３の時間期間に、前記第２のスイッチを再びオンにするための前記谷の前記特定の１つを選択する、ＩＣ。
【請求項１４】
請求項１３に記載のＩＣであって、
前記第２の制御回路が、セットポイント信号に従って前記コンバータ出力信号を少なくとも部分的にレギュレートするために、前記コンバータサイクルのスイッチング周波数と期間とを選択的に調節するため、前記第３の時間期間に、前記第２のスイッチを再びオンにするための前記谷の前記特定の１つを選択する、ＩＣ。
【請求項１５】
請求項１１に記載のＩＣであって、
前記第１の制御回路が、コンバータ出力信号をレギュレートするために前記第１の時間期間を選択的に調節する、ＩＣ。
【請求項１６】
請求項１１に記載のＩＣであって、
第３のスイッチであって、入力電圧信号を受け取るように結合される第１の端子と、前記一次巻線の第１の端部と結合される第２の端子と、第３のスイッチング制御信号を受信するための第３の制御端子とを含む、前記第３のスイッチと、
第１のダイオードであって、前記一次巻線の第２の端部に接続される第１のアノードと、前記第３のスイッチの前記第１の端子に接続される第１のカソードとを含む、前記第１のダイオードと、
第２のダイオードであって、前記第１の定電圧ノードに接続される第２のアノードと、前記一次巻線の前記第１の端部に接続される第２のカソードとを含む、前記第２のダイオードと、
を更に含み、
前記第１のスイッチの前記第１の端子が、前記一次巻線の前記第２の端部と結合され、
前記第１の制御回路が、前記第１のスイッチがオンであるときに前記第３のスイッチをオンにするために、前記第１のスイッチがオフであるときに前記第３のスイッチをオフにするために、前記第３のスイッチング制御信号を提供するように作用し得る、ＩＣ。
【請求項１７】
コンバータ変圧器の一次巻線と結合される第１のスイッチと、前記コンバータ変圧器の二次巻線と結合される第２のスイッチとを有するフライバックコンバータを動作させる方法であって、一連のコンバータサイクルの各々において、
前記第１のスイッチの第１のスイッチ電圧が第１の閾値を下回って遷移することに応答して、前記一次巻線において電流が第１の方向に流れ得るように、非ゼロの第１の時間期間に、前記第１のスイッチをオンにすることと、
前記第１の時間期間の後に前記第１のスイッチをオフにすることと、
前記第１の時間期間の後の非ゼロの第２の時間期間に前記第２のスイッチをオンにすることと、
前記第２の時間期間の後に前記第２のスイッチをオフにすることと、
後続のコンバータサイクルを開始し、ゼロ電圧スイッチング（ＺＶＳ）状態で又はその近辺で前記第１のスイッチを動作させるため前記第１のスイッチ電圧を前記第１の閾値を下回って遷移させるように前記第１のスイッチの静電容量を少なくとも部分的に放電するため、前記一次巻線において電流を第２の方向に流すために、前記第２のスイッチの第２のスイッチ電圧が第２の閾値を下回って遷移することに応答して、非ゼロの第３の時間期間に、前記第２のスイッチを再びオンにすることと、
を含む、方法。
【請求項１８】
請求項１７に記載の方法であって、
前記第２のスイッチがオフである間に、前記第２のスイッチ電圧が一連のピークと谷とを含む共振リンギングを被り、
前記方法が、前記谷の特定の１つにおいて又はその近辺で前記第２のスイッチ電圧が前記第２の閾値を下回って遷移することに応答して、前記第３の時間期間に前記第２のスイッチをオンにすることを更に含む、方法。
【請求項１９】
請求項１８に記載の方法であって、
コンバータ出力信号に少なくとも部分的に従って、前記第３の時間期間に、前記第２のスイッチを再びオンにするための前記谷の前記特定の１つを選択することを更に含む、方法。
【請求項２０】
請求項１９に記載の方法であって、
前記コンバータ出力信号を少なくとも部分的にレギュレートするために前記コンバータサイクルのスイッチング周波数と期間とを選択的に調節するため、前記第３の時間期間に前記第２のスイッチを再びオンにするための前記谷の前記特定の１つを選択することを更に含む、方法。